(57)【要約】      （修正有）【課題】眼の調節力を改善させ、老視や近視の明視範囲を改善し、視力を改善させる視力改善治療器の提供。【解決手段】視力改善治療器で、皮下組織から深部組織まで到達する７００ｎｍ〜７８０ｎｍの波長を有する発光ダイオード４の光を眼瞼に照射して、本来の目の調節力を改善させて明視範囲を拡大させることができる。また、超音波を使用した近点測定器と前記視力改善治療器を一体化させることにより、改善された治療結果をその場で年齢に換算してデジタル表示器１０で表示確認することができる。【選択図】図１
2007068981.tif 000002
【特許請求の範囲】
【請求項１】
皮膚の皮下組織から深部組織まで到達する７００ｎｍ〜７８０ｎｍの波長を有する発光ダイオードを眼瞼に照射して目の調節力を改善し、老視や近視の明視範囲を拡大させることができる視力改善治療器。
【請求項２】
調節力を改善し明視範囲を拡大させた治療結果を、その場で年齢に換算してデジタルで表示確認できる近点測定器と前記視力改善治療器を一体化させた請求項１記載の視力改善治療器。
【発明の詳細な説明】
【技術分野】
【０００１】  本発明は、視力の改善を図った治療器に関する。
【背景技術】
【０００２】  従来の視力改善の方法は、眼鏡を中心とした屈折矯正やＬＡＳＩＫなどの屈折矯正手術などである。一方、生体が持つ調節力を改善して視力を改善する方法として、視力回復訓練がある。【０００３】  視力回復訓練は近視の年少者を対象に訓練センターで訓練を行うもので、ランドルト環などの視標を使って見える距離をだんだん遠くすることによって視力を改善しようとするものである。【０００４】  また、眼瞼を温めてドライアイや眼精疲労を改善させるものがある。（例えば、特許文献１参照。）さらに、使い捨てカイロを用いて蒸気を発生させるものもある。（例えば、非特許文献１参照。）
【特許文献１】  特願２００２−３８３０９４
【非特許文献１】  商品名  アイスチーマー  紹介文献・あたらしい眼科Ｖｏｌ．２２Ｎｏ．５  ２００５：ｐ６４５〜６４７調節力障害に対する温熱療法
【発明の開示】
【発明が解決しようとする課題】
【０００５】  以上に述べた従来の視力改善の方法は屈折矯正による改善であり、調節力を改善させるものではなかった。また、訓練による毛様体の筋肉トレーニングによる調節力を改善させる方法は成果を上げていない。さらに、眼瞼を温める方法はパソコンによる眼精疲労の軽減が目的である。このように、調節力を治療して改善させることを目的としたものは存在しなかった。【０００６】  本発明は、光を眼瞼に照射して調節力を改善させ、老視や近視の明視範囲を改善し、視力を改善させることを目的としたものである。
【課題を解決するための手段】
【０００７】  本発明は、皮下組織に到達する７００ｎｍ〜７８０ｎｍの波長を有する発光ダイオードの光を眼瞼に照射して、本来の目の調節力を改善させて視力を改善するものである。【０００８】  また、第２の課題解決手段は、調節力の改善による視力の改善の効果を確認するために、超音波を使用したデジタル表示の近点測定器を視力改善治療器と一体化させた構成としたものである。【０００９】  上記第１の問題解決手段による作用は次の通りである。眼瞼への光照射による調節力改善効果は、生体組織への温熱作用によるものである。すなわち、皮下組織から深部組織まで到達する７００ｎｍ〜７８０ｎｍの発光ダイオードを眼瞼に照射すると、発光ダイオードの光熱が眼瞼を透過して角膜に到達する。角膜に到達した光熱は温熱作用により血管が拡張し、毛様体や虹彩の筋組織が熱の作用により緊張が緩和される。また新陳代謝活動が盛んになることにより毛様体筋が持つ水晶体のピント調節力が柔軟化するともに活性化され、視力を改善させることができる。【００１０】  また、第２の問題解決手段による作用は次ぎの通りである。視力の向上や低下は本人の感覚だけでは確認することができない。このため、超音波を使用したデジタル表示の近点測定器を視力改善治療器と一体化させたことにより、治療前と治療後の結果をデジタル数値で確認することができる。
【発明の効果】
【００１１】  上述したように本発明の視力改善治療器は、本来の生体能力である調節力を向上させることで視力を改善させることができる。このため、屈折異常の程度にもよるが進行性の老視はその進行を止めることや改善することができる。また、軽度の近視については眼鏡の必要性を最小限に止めることができる。【００１２】  老視についての本発明の視力改善治療器による１治療例のテスト結果では、７０歳の男性が９日間の治療で２．８６Ｄから７．６９Ｄに向上した。同上治療器による近視の２０歳代の女性の１治療例のテスト結果では、９日間の治療で２．９４Ｄから１２．５Ｄに向上し、同時に行った遠方視力テストでも向上が見られ、明視範囲が改善されている。また、治療を中断すると視力は元に戻るが３〜４回の治療で治療時の最も良い状態に視力が回復することも確認されている。【００１３】  放射温度計による眼瞼に対する本発明の視力改善治療器の光熱の透過テスト例では、５分間の治療後の温度上昇は瞼で３℃角膜では１℃上昇し、瞼で２／３が吸収され角膜に１／３が到達している。このことは、眼瞼のマイボーム腺の機能障害によるドライアイの温熱治療や、ＯＡ化に伴う視覚負担に伴う調節力の低下の改善にも本発明の視力改善治療器が有効であることを確認することができる。【００１４】  本発明の視力改善治療器による測定結果を年齢に換算して表示することができる。測定結果はｃｍ、Ｄ（ジオプター）、年齢を切り替えて表示することができるが、年齢で表示できることにより現時点の老視年齢と改善された結果についても年齢で確認することができる。【００１５】  また、本発明の視力改善治療器の近点測定器を利用して、日常の視力の変化を把握することができ、目の健康のバロメーターとしても使用できる。
【発明を実施するための最良の形態】
【００１６】  以下、本発明の実施の形態を図１〜図３に基づいて説明する。【００１７】  図１は視力改善治療器であるアイマスク２をケース１から取り出した状態を示したもので、使用しない時にはケース１に収納されている。アイマスク２は硬いスポンジを使用し、面ファスナーでヒーターパッド３を固定している。ヒーターパッド３は軟らかいスポンジで中に発光ダイオード４を組み込んでいる。実施例での発光ダイオード４は７００ｎｍの赤色発光ダイオードを使用し、左右各１０本を基板に組立てたものを軟らかいスポンジで囲んでヒーターパッド３を形成している。左右のヒーターパッド３はリード線４で接続されコード８でケース１の中の回路（図示せず）に接続されている。【００１８】  図２は使用時を示し、アイマスク２を目に当ててゴム紐５を耳に掛け、ストッパー６を調節して目とアイマスク２を密着させる。左右の目との間隔を変えるにはヒーターパッド３を固定している面ファスナーを外して付け替えることができる。ケース１の電源スイッチ１５をＯＮにして切換えスイッチ１３を治療に切換え、スタートボタン１４をＯＮにするとタイマー回路が５分間作動し、５分後に自動的に電源をＯＦＦにすることができる。【００１９】  近点測定器はケース１に組み込まれ、ケース１の前面に視標１２を入れられる透明な視標ケース１１を設け、その上部に超音波センサー９とデジタル表示器１０を設けている。スイッチはケース１の前面に切換えスイッチ１３とスタートボタン１４があり、ケース１の側面に電源スイッチ１５が配置されている。また、ケース１の内部には測定及び表示用の回路（図示せず）が組み込まれている。電源は実施例ではＡＣ電源を使用しているが、電池の使用も可能である。【００２０】  視標１２は近距離視力表の０．２の大きさで独自の視標を使用しているが、ランドルト環や新聞文字を使用することもできる。視標ケース１１は薄いプラスチックケースを使用している。【００２１】  超音波センサー９は距離の測定精度である分解能を１ｃｍとし、測定距離は１０〜５０ｃｍを標準とするため、実施例では４０ｋＨｚの送受信用超音波センサーを使用している。測定距離は必要があれば５〜６０ｃｍにすることができる。【００２２】  デジタル表示器１０は輝度の面からＬＥＤ表示を用いているが、液晶表示や他の表示素子を用いることもできる。また、距離表示だけでなく測定結果の記録やタイマーの表示など、多用途に使用するための表示装置として使用することもできる。【００２３】  図３は近点測定器の使用時を示し、視標１２を前述したように１文字か４文字程度選んでケース１の前面の中央になるように視標ケース１１に入れて固定する。ＡＣアダプターを確認してから電源スイッチ１５を入れ、切換えスイッチ１３を測定に切替える。ケース１を両手で持って顔に正対させて近づけながらスタートボタン１４を押すと超音波センサー９が作動してデジタル表示器１０が点灯し、目と視標の距離を表示することができる。顔と視標が正対していない場合には、測定不能表示である一一や９９を表示して知らせることができる。【００２４】  治療と測定の手順は、治療前に近点測定器で前記操作により視標１２を目に近づけ、指標１２がぼやけて見えたところや二重に見えたところでスタートボタン１４を押し、測定値を確認し記録する。次に、アイマスク２を目に当てて５分間の治療が終わった後、再び測定して結果を記録する。治療は１日一回で数日間行うことにより、改善結果を確認することができる。【００２５】  遠方視力の治療については前記の治療の手順と同じであるが、測定については前記の近点測定器を用いずに遠方視力用のランドルト環の視標を用いて視力を測定する。
【図面の簡単な説明】
【００２６】
【図１】  本発明の実施形態を示す視力改善治療器の外観図
【図２】  同治療器の使用状態の説明図
【図３】  同近点測定器の使用状態の説明図
【符号の説明】
【００２７】１  ケース
２  アイマスク
３  ヒーターパッド
４  発光ダイオード
５  ゴム紐
６  ストッパー
７  リード線
８  コード
９  超音波センサー
１０  デジタル表示器
１１  視標ケース
１２  視標
１３  切替えスイッチ
１４  スタートボタン
１５  電源スイッチ
【図１】
2007068981.tif 000003
【図２】
2007068981.tif 000004
【図３】
2007068981.tif 000005